(57)【要約】【課題】ＣＣＤや水晶フィルタの調整やメンテナンスの際の作業性を向上させたマイクロカメラを提供する。【解決手段】回路基板アッセンブリ３とカメラヘッドアッセンブリ１１とが、金属製の連結ホルダ１２を介して分離可能に連結できるように構成されているから、その連結体１９を筒形筐体２の後端開口から挿入して組み立てることができる。また、カメラヘッドキャップ２１を筒形筐体２の先端開口２ａから取り外し、該先端開口２ｂから突出するカメラヘッドアッセンブリ１１の連結ホルダ１２の係合凹部１６から係合爪９を取り外すことにより、回路基板アッセンブリ３からカメラヘッドアッセンブリ１１のみを分離できる。従って、水晶フィルタ１７やＣＣＤ１８が不具合を生じた際の調整やメンテナンスの作業性が向上する。さらに、連結ホルダ１２が金属製であるから、ＣＣＤ１８の取り付け精度を高精度に確保することができる。【選択図】図５
2005221529.tif 000002
【特許請求の範囲】
【請求項１】
基板に電子部品や制御回路を実装するとともに、コネクタ等を装着した回路基板アッセンブリと、レンズ、ＣＣＤ固体撮像素子及び水晶フィルタ等を金属製の連結ホルダに装着したカメラヘッドアッセンブリとを、該連結ホルダを介して分離可能に連結できるように構成するとともに、
前記回路基板アッセンブリとカメラヘッドアッセンブリとの連結体を一端から挿入して、該回路基板アッセンブリを固定する筒形筐体の他端に、該他端から突出するカメラヘッドアッセンブリに被着するカメラヘッドキャップを着脱可能に装着したことを特徴とするマイクロカメラ。
【発明の詳細な説明】
【技術分野】
【０００１】
本発明は、マイクロカメラに関するものである。
【背景技術】
【０００２】
ＣＣＤ固体撮像素子を用いたマイクロカメラの構造として、基板に電子部品や制御回路を実装するとともに、コネクタ等を装着した回路基板アッセンブリと、レンズ、ＣＣＤ固体撮像素子（以下、単にＣＣＤという。）及び水晶フィルタ等を連結ホルダに装着したカメラヘッドアッセンブリとを一体化して筒形筐体に挿入するいわゆる一体型のものと、回路基板アッセンブリとカメラヘッドアッセンブリを別体として、それぞれを筒形筐体の両端から挿入して該筒形筐体内で繋ぐ中継型のものがある。
【０００３】
上記一体型のものは回路基板アッセンブリとカメラヘッドアッセンブリが一体となっているため、組み立て易く作業性がよい。しかしながら、一体化を行うために樹脂部品を使用するため、ＣＣＤの取り付け精度を確保することが困難である。さらに、ＣＣＤや水晶フィルタに不具合を生じたとき、筒形筐体から取り出した一体化部品から、ＣＣＤや水晶フィルタを分離して点検修理を行わなければならず面倒であり、メンテナンス上問題がある。
【０００４】
また、上記中継型のものは筒形筐体の一端に取り付けた回路基板アッセンブリにコネクタを介して連結したカメラヘッドアッセンブリを筒形筐体の他端に取り付けて組み立てるため、組み立て作業が一体型のものより手間がかかるという問題点がある。
【特許文献１】無し
【発明の開示】
【発明が解決しようとする課題】
【０００５】
解決しようとする問題点は、ＣＣＤや水晶フィルタの調整やメンテナンスの際の作業性を向上させたマイクロカメラを提供することである。
【課題を解決するための手段】
【０００６】
上記問題点を解決するための本発明のマイクロカメラは、基板に電子部品や制御回路を実装するとともに、コネクタ等を装着した回路基板アッセンブリと、レンズ、ＣＣＤ固体撮像素子及び水晶フィルタ等を金属製の連結ホルダに装着したカメラヘッドアッセンブリとを、該連結ホルダを介して分離可能に連結できるように構成するとともに、前記回路基板アッセンブリとカメラヘッドアッセンブリとの連結体を一端から挿入して、該回路基板アッセンブリを固定する筒形筐体の他端に、該他端から突出するカメラヘッドアッセンブリに被着するカメラヘッドキャップを着脱可能に装着したことを特徴とする。
【発明の効果】
【０００７】
上記構成のマイクロカメラによれば、回路基板アッセンブリとカメラヘッドアッセンブリとが、金属製の連結ホルダを介して分離可能に連結できるように構成されているから、その連結体を筒形筐体の一端から挿入して組み立てることができる。また、カメラヘッドキャップを筒形筐体の他端から取り外し、該他端から突出するカメラヘッドアッセンブリの連結ホルダを取り外すことにより、回路基板アッセンブリからカメラヘッドアッセンブリを分離できるから、ＣＣＤや水晶フィルタの調整やメンテナンスの際の作業性が向上する。また、連結ホルダが金属製であるから、ＣＣＤの取り付け精度を高精度に確保することができる。
【発明を実施するための最良の形態】
【０００８】
ＣＣＤや水晶フィルタの調整やメンテナンス等の際の作業性を向上させたマイクロカメラを提供するという目的を、回路基板アッセンブリとカメラヘッドアッセンブリとを、連結ホルダを介して分離可能に連結できるように構成し、カメラヘッドキャップを筒形筐体の他端から取り外し、該他端から突出するカメラヘッドアッセンブリのみの取り外しを、回路基板アッセンブリから連結ホルダを取り外して分離することにより現した。
【実施例】
【０００９】
本発明の実施例について図面を参照して説明する。図１は実施例に係るマイクロカメラ１の外観を示した斜視図である。マイクロカメラ１の筒形筐体２内には、
回路基板アッセンブリ３と後述するカメラヘッドアッセンブリ１１の連結体１９が挿入されビス４により締着されるようになっている。回路基板アッセンブリ３は、基板５に電子部品６や制御回路７等を実装するとともに、該基板５の後部に装着したコネクタ８等により構成されている。また、回路基板アッセンブリ３の先端部には、後述する連結ホルダ１２を係合連結する一対の係合爪９が突出形成されている。
【００１０】
上記回路基板アッセンブリ３の先端には、図２に示すようにカメラヘッドアッセンブリ１１が連結ホルダ１１を介して連結されている。連結ホルダ１２はダイキャスト若しくは削り出しにより形成される金属製であって、図３に示すように不完全円筒形の本体１３から４個の保持アーム１４が突出形成されている。各保持アーム１４にはネジ孔１５が形成されている。また、本体１３には前記回路基板アッセンブリ３の先端部の係合爪９に係合する一対の係合凹部１６が形成されている。カメラヘッドアッセンブリ１１は、連結ホルダ１２の４個の保持アーム１４により、水晶フィルタ１７及びＣＣＤ１８等を保持したものである。
【００１１】
上記回路基板アッセンブリ３とカメラヘッドアッセンブリ１１は、回路基板アッセンブリ３の先端部の係合爪９と連結ホルダ１２の係合凹部１６との係合により着脱可能に連結される。そして、その連結体１９を筒形筐体２の後端開口から挿入し、カメラヘッドアッセンブリ１１を先端開口２ａから突出させて、回路基板アッセンブリ３のコネクタ８をビス４により筒形筐体２に締着する（図４参照）。
【００１２】
先端開口２ａから突出するカメラヘッドアッセンブリ１１には、カメラヘッドキャップ２１を被着する。カメラヘッドキャップ２１の後端に突出する連結片２２を筒形筐体２の先端開口２ａに挿着し、該連結片２２のネジ孔２３にネジ込むビス２４により、筒形筐体２に締着する。そして、連結ホルダ１２の各保持アーム１４のネジ孔１５にネジ込むビス２５により、カメラヘッドキャップ２１を保持アーム１４に締着する。
【００１３】
上記構成のマイクロカメラ１によれば、回路基板アッセンブリ３とカメラヘッドアッセンブリ１１とが、金属製の連結ホルダ１２を介して分離可能に連結できるように構成されているから、その連結体１９を筒形筐体２の後端開口から挿入して組み立てることができる。
【００１４】
また、カメラヘッドキャップ２１を筒形筐体２の先端開口２ｂから取り外し、該先端開口２ｂから突出するカメラヘッドアッセンブリ１１の連結ホルダ１２の係合凹部１６から係合爪９を取り外すことにより、該回路基板アッセンブリ３からカメラヘッドアッセンブリ１１のみを分離できる。従って、水晶フィルタ１７やＣＣＤ１８が不具合を生じた際の調整やメンテナンスの作業性が向上する。さらに、連結ホルダ１２が金属製であるから、ＣＣＤ１８の取り付け精度を高精度に確保することができる。
【図面の簡単な説明】
【００１５】
【図１】本発明のマイクロカメラの外観を示した斜視図である。
【図２】回路基板アッセンブリとカメラヘッドアッセンブリの連結体の斜視図である。
【図３】連結ホルダの斜視図である。
【図４】筒形筐体に連結体を挿入した状態の斜視図である。
【図５】筒形筐体からカメラヘッドキャップとカメラヘッドアッセンブリを分離した状態の斜視図である。
【符号の説明】
【００１６】
１...マイクロカメラ
２...筒形筐体
３... 回路基板アッセンブリ
９...係合爪
１１...カメラヘッドアッセンブリ
１６...係合凹部
１７...水晶フィルタ
１８...ＣＣＤ
１９...連結体
２１...カメラヘッドキャップ
【図１】
2005221529.tif 000003
【図２】
2005221529.tif 000004
【図３】
2005221529.tif 000005
【図４】
2005221529.tif 000006
【図５】
2005221529.tif 000007